(57)【要約】【課題】  ギフトやノベルティなどの多様なデザイン要求にもこたえられる新しい発想のカトラリーが求められてきたが、新しいデザインには新規な金型を必要としてきた。【解決手段】  カトラリーのハンドルの端部に円形又は楕円等の空間を有する柄と一体のリング部を設けて、かつ、このリング部の空間に収まるような大きさの各種多様な装飾体を丸カン等のリングで吊るすことにより、一種類のカトラリーでありながら揺動する装飾体を換えることによってデザインの多様性を表現できるように構成する。【選択図】図３
2009254774.tif 000002
【特許請求の範囲】
【請求項１】
端部に円形又は楕円等の空間を有するカトラリー本体と一体のリング部を持ち、かつ、このリングの空間に収まるような大きさの各種多様な装飾体を丸カン等の金具を用いてリングの小穴に吊るすことにより一種類の本体でありながらデザインの多様性をシステマチックに表現できるようにしてなるカトラリーハンドル。
【請求項２】
端部に円形又は楕円等の空間を有するカトラリー本体と別部材のリング部を持ち、一種類の本体でありながらデザインの多様性をシステマチックに表現できるようにしてなる請求項１記載のカトラリーハンドル。
【発明の詳細な説明】
【技術分野】
【０００１】  本発明は、スプーン等カトラリーのハンドル端部の装飾構造に関するものである。
【背景技術】
【０００２】  スプーン等のカトラリーは、テーブルで食事の際に使用する金属製の用具で、それぞれには用途によってさまざまな種類がある。長い歴史があり実用品としての機能と装飾性を兼ね備え、しかも複数で使用するためにセットのデザインとして工夫がなされてきた。工業製品であると同時に伝統的なハンドメイドの工芸品の顔も持つ。素材も純銀やスターリングシルバーそしてチタンなどもあるが現在ではステンレス製が圧倒的に多い。成形方法は純銀製などでは彫刻技術を駆使した手作りもあるが、量産性と均一性が要求されるステンレス製はプレス機による抜き成形と型押しによってなされてきた。表面処理もバフ研磨のみならず電解研磨や金メッキ・銀メッキを全体もしくは部分的に施すなどの他、部分的に腐食加工や七宝を施すものもある。これらカトラリーの基本的な構造は、スプーンならば皿の部分とハンドル部分からなるというように、ハンドル部分と食物に触れて切ったり掬ったり刺したり攪拌させたりといった作用をする部分から構成される。カトラリーのセットとしてのデザイン共通性があるためにこの特殊性を説明しておく。ハンドルの構造に関する技術で言うとなれば、実用性と装飾性に大別されるどちらかに絞って言わねばならない。本発明は装飾性に関わるものであるからこれに関して述べる。ハンドルの装飾性とは、素材及び形状と構造そして模様とから成り立つものであることであるから、更に絞り込んで述べねばならない。本発明は特にハンドル端部の形状と構造の装飾性に特徴を有するのでそれについて述べる。従来、ハンドルと作用部では異なる素材で構成されたり、作用部とハンドル部分が一体のものをハンドル部分だけ異なる素材で被覆したりという風になされてきた。異なる素材とは動物の牙や骨、木製や陶器製、樹脂製のハンドルのみならず、近年では例えばステンレスの中空ハンドルとステンレスの作用部とが溶着というような技術革新も行われている。ハンドル端部の形状と構造の装飾性に関しては、円形などの装飾部分を設けて七宝焼きやカメオを嵌めたり、アコヤガイを擬してその一部に小粒の真珠を取り付けるものもあった。又、端部に穴を開けベルやキャラクターの顔などの装飾体を吊るものもあった。更には棒状の端部にワイヤ製の籠を設けて玉を入れるものあったし、端部に設けた小穴もしくは溝にリングを介して装飾体をつけるものもあった。このように別パーツを組み合わせるにしてもスプーン等の本体とのデザインバランスが求められるので新規の異なるパーツとの組み合わせは極めて困難であった。
【発明の開示】
【発明が解決しようとする課題】
【０００３】  背景技術でも述べたとおり、従来、スプーンやフォーク、マドラーなどのカトラリー類のハンドル端部の装飾構造に関しては、今までもさまざまな工夫がなされている。これらはカトラリーが実用性は当然ながら、記念品としても多く使われるなどギフト性を強く持った特別な製品であることを物語っている。それを意識してメーカーは新しいデザインを毎年発表しているが、しかし、メーカーにとって金型を新規に作りデザインを更新していくのは大きな負担である。特に近年、アジア地域の興隆によって日本国内の地場産業は消失の危機を迎えている。今求められているのは、効率的な製品作りとデザインの多様性をいかに実現できるかにかかっている。その意味で、基本形状を崩すことを極力避けられ又、近年需要が期待されるギフトやノベルティなどの多様な要求にもこたえられる新しい発想のカトラリーが求められてきた。別の視点からは一般消費者がクラフトの対象としてスプーン等を見始めているのも事実である。欧米では昔から子供の誕生祝に銀のスプーンを送るといった習慣があり、日本でも浸透しつつある。自分だけのといったオリジナリティの高いものの要求度も高い。
【課題を解決するための手段】
【０００４】  本発明は、前に述べたような課題を解決するために、請求項１で言えば、基本的には金属板材から一体で成形されるような小型のカトラリーのハンドルの端部に円形又は楕円等の空間を有する柄と一体のリング部を設けて、かつ、このリング部の空間に収まるような大きさの各種多様な装飾体を丸カン等のリングで吊るすことにより、一種類のカトラリーでありながら揺動する装飾体を換えることによってデザインの多様性を表現できるようにするものである。つまり、耳とピアスとの関係である。耳はそれぞれ個人固有で変えられないがピアスのデザインは変えることはできるという発想である。それを解決するためには、各種の揺動する装飾体にシステマチックに対応できる各種カトラリー本体のハンドル端部の構造とデザインの共通化が重要である。各種の揺動する装飾体とは例えば、鈴やベルといった音を発するものや、音符や星座のシンボルや記号をモチーフにしたもの、ディズニーなどのキャラクターマスコット、野球ボールやサッカーボール・ゴルフボールなどスポーツ関連のものや、コーヒー豆や紅茶の葉を擬したオブジェ、真珠や水晶などの宝石、各種商品マーク、顔写真を入れたミニロケットといったものが考えられる。これらはリング部の空間に収まるように、かつ、どんな揺動する装飾体に対してもデザイン的なバランスがとりやすいシンプルなものが要求される。基本的にはカトラリーの形成にはステンレスなどの板材から一体成形で出来るものがコスト的に望ましいしデザインバランスもとりやすい。このシステムを応用しやすいカトラリーを絞り込むことも重要である。スプーンであればティスプーン及びコーヒースプーンがギフトとしての需要が多いのでこれを中心にすれば効率がよい。フォークも小型のもので前に述べたスプーンとギフトセットにするのが現実的である。外のアイテムも一枚の金属板材から成形できるものにする。この場合、各種カトラリーのアソートを考慮してハンドル端部デザインを共通にする。【０００５】  又、請求項２で言えば、ハンドルとリング部を別部材で作り、合体させれば作業工程やデザインの変化などに対応しやすく好ましい。
【発明の効果】
【０００６】  上述のように本発明の端部のリング内に揺動する装飾体を有するカトラリーハンドルは、スプーンやフォークといった基本アイテムに応用すれば、流行が早い雑貨としてあるいはノベルティのような販促品として多様なデザイン要求に応えられるという大きなメリットがある。又、半製品として在庫も可能となり小ロットで急な納期にも対応できる効果も大きい。
【発明を実施するための最良の形態】
【０００７】  以下、本発明の実施の形態を図１〜図６に基づいて説明する。１はリング内に揺動する装飾体を有するカトラリーハンドルで、基本的には金属板材から一体で成形されるような２カトラリー本体に実施するのがシンプルで、かつ揺動する５装飾体にデザイン的に合わせやすく好ましい。９スプーンや１０フォークの場合、厚さ１、５ｍｍ〜２ｍｍ程度の金属板からプレス加工で、３ハンドル端部に円形又は楕円等の空間を有する４ハンドルと一体のリング部を持つように成形する。６リングの空間の大きさは幅１０ｍｍ、高さ１２ｍｍ程度以上とする。これらの６リングの空間はリングの外形とはほぼ相似形であり、かつ、リング端部には８丸カン等の固定金具を通すための小穴を設ける心要性から中心をハンドル前方にずらす。リングの大小は例えばティスプーンとコーヒースプーンに対応するようになる。ハンドル本体はリング部外形よりも幅が小さく、かつ、先端部に向かってテーパをなすようにしてもよい。又、１４ハンドルのボリューム感を出すために断面をカールさせてもよい。７リング部の小穴はプレスによる一体加工とするために直径が最低２．５ｍｍは確保する必要がある。プレスによる一体の穴あけ加工で４ハンドルと一体のリング部の破断を起こさないようにブランク厚を考慮しながら寸法を決めるのが好ましい。このように成形された２カトラリー本体とは別に、６リングの空間に収まるような大きさの各種多様な５装飾体を８丸カン等の金具で吊るす訳であるが、注意点として鈴のような丸ものであれば９ｍｍ程度までを限度とする。幼児の誤飲事故を防止するためである。この寸法までなら安全性が高いとされているからである。揺動する装飾体は、基本的に何を選んでも構わないが、鉛等重金属や有害物質が溶出するものは使わない。８丸カン等の金具も同等のものを使用する。丸カンの場合二重にしたものを使ってもよい。外れる危険性を小さく出来るからである。【０００８】  図５及び図６では、１５別部材のリング部が１４ハンドルと一体化されている。２カトラリー本体と１４ハンドルもやはり一体化されているが、１５別部材のリング部及び１４ハンドルは、樹脂もしくは木製で両側から挟みこむような構造とする。その場合、樹脂ならば超音波溶着、木製ならば接着等で固定する。１５別部材のリング部は金属製ワイヤの曲げ加工で、１３丸カン吊り部はロウ付けで固定する。
【産業上の利用可能性】
【０００９】  本発明は以上のように構成されるので、流行が早い雑貨としてあるいはノベルティのような特注の販促品として多様なデザイン要求に応えられるという産業上の大きなメリットがある。又、半製品として在庫も可能となり小ロットで急な納期にも対応できる経済効果も大きい。特にスプーンの半製品はクラフトの対象になり得て、アクセサリーパーツ売場に新しい商品として供給できる産業上の利用可能性がある。
【図面の簡単な説明】
【００１０】
【図１】  リング内に揺動する装飾体を有するカトラリーハンドルの正面図である。
【図２】  リング内に揺動する装飾体を有するカトラリーハンドルの側面図である。
【図３】  リング内に揺動する装飾体を有するスプーン、フォーク、ナイフ、マドラーのセットデザインにおけるカトラリーハンドルの正面図である。
【図４】  リング内に図３とは異なる揺動する装飾体を有するスプーン、フォーク、ナイフ、マドラーのセットデザインにおけるカトラリーハンドルの正面図である。
【図５】  請求項２におけるリング内に揺動する装飾体を有するカトラリーハンドルの正面図である。
【図６】  請求項２におけるリング内に揺動する装飾体を有するカトラリーハンドルの側面図である。
【符号の説明】
【００１１】１  リング内に揺動する装飾体を有するカトラリーハンドル
２  カトラリー本体
３  ハンドル端部
４  ハンドルと一体のリング部
５  装飾体
６  リングの空間
７  リング部の小穴
８  丸カン等の吊り金具
９  スプーン
１０  フォーク
１１  ナイフ
１２  マドラー
１３  丸カン吊り部
１４  ハンドル
１５  別部材のリング部
【図１】
2009254774.tif 000003
【図２】
2009254774.tif 000004
【図３】
2009254774.tif 000005
【図４】
2009254774.tif 000006
【図５】
2009254774.tif 000007
【図６】
2009254774.tif 000008